(57)【特許請求の範囲】
【請求項１】
平面視Ｃ字状に形成され、カッティングペンが嵌合可能な緊縛部およびこの緊縛部の互いに近接する両端からそれぞれ前記カッティングペンの長手方向とは直交する方向に突出する一対のアーム部を有するペンホルダと、
前記ペンホルダに前記アーム部の突出方向と平行な方向へ移動自在に保持されたペンロックとを備え、
前記ペンロックは、前記ペンホルダに対して前記突出方向に移動した状態において前記一対のアーム部を押すことがなく、かつこの状態から前記突出方向とは反対方向に移動することにより前記一対のアーム部をこれらのアーム部どうしの間隔が狭くなる方向に押すカムを有していることを特徴とするカッティングペンのロック機構。
【請求項２】
請求項１記載のカッティングペンのロック機構において、
前記ペンロックは、前記一対のアーム部を上方から覆う板状部を有し、
前記板状部は、前記ペンロックが前記ペンホルダに対して前記突出方向に移動した状態で前記アーム部とは異なる部材が露出し、かつ前記ペンロックが前記ペンホルダに対して前記突出方向とは反対方向に移動した状態でのみ前記アーム部の一部が露出する貫通孔を有していることを特徴とするカッティングペンのロック機構。
【請求項３】
請求項１または請求項２に記載されたカッティングペンのロック機構を上下方向に移動可能に保持し、前記カッティングペンの長手方向と直交する方向に平行移動するペンキャリッジと、
前記カッティングペンによって切断されるシート状の被切断媒体が載せられる作業ステージとを備えたことを特徴とするカッティングプロッタ。
【発明の詳細な説明】
【技術分野】
【０００１】
本発明は、カッティングペンが固定される状態と着脱可能になる状態とを切替えるカッティングペンのロック機構およびこの機構を備えたカッティングプロッタに関する。
【背景技術】
【０００２】
従来、シート状の媒体を切断するカッティングプロッタとしては、例えば特許文献１に記載されているものがある。この特許文献１に開示されたカッティングプロッタは、先端に刃を有するカッティングペンと、このカッティングペンを支持した状態で媒体に沿って移動するペンキャリッジとを備えている。この種のカッティングプロッタにおいては、切断可能な媒体の材質や厚みが異なる複数種類のカッティングペンが用意されており、これらのカッティングペンの中から被切断媒体に適合するカッティングペンが選ばれて使用される。このカッティングペンは、使用者によってペンキャリッジに取付けられる。
【０００３】
使用者がカッティングペンをペンキャリッジに取付けるにあたっては、カッティングペンの着脱作業が簡単であることと、カッティングペンの固定が確実であることとが必要である。
特許文献１に示すカッティングプロッタのペンキャリッジは、これらの二つの条件を満たすロック機構を備えている。このロック機構は、使用者が指で回す回動式ロックレバーと、このロックレバーの回転を往復運動に変換して得られた押圧力でカッティングペンを挟むペンホルダとを備えている。
ロックレバーは、板状の摘み部を備えており、この摘み部が使用者から見て左右方向の一方に回された非ロック位置と、他方に回されたロック位置との間で回動する。ロックレバーが非ロック位置に回されることにより、カッティングペンがペンキャリッジに対して着脱自在になる。ロックレバーがロック位置に回されることにより、カッティングペンがペンキャリッジに固定される。
【先行技術文献】
【特許文献】
【０００４】
【特許文献１】特開２０１３−７８８１２号公報
【発明の概要】
【発明が解決しようとする課題】
【０００５】
特許文献１に示すカッティングペンのロック機構では、ロック状態と非ロック状態とを一見しただけで識別することは難しいという問題があった。この理由は、ロック状態と非ロック状態との外観上の相違点はロックレバーの回転方向の位置だけだからである。このため、特許文献１に開示されたカッティングプロッタにおいては、使用者が不慣れであったり、ロック機構の操作方法を忘れていると、非ロック状態であることを気付かずに非ロック状態でカッティング動作が開始されるおそれがあった。
【０００６】
本発明はこのような問題を解消するためになされたもので、カッティングペンが着脱自在な非ロック状態と、カッティングペンが固定されたロック状態とを一見しただけで識別可能なカッティングペンのロック機構を提供することを第１の目的とする。また、本発明は、非ロック状態でカッティングが行われることを防止可能なカッティングプロッタを提供することを第２の目的とする。
【課題を解決するための手段】
【０００７】
この目的を達成するために、本発明に係るカッティングペンのロック機構は、平面視Ｃ字状に形成され、カッティングペンが嵌合可能な緊縛部およびこの緊縛部の互いに近接する両端からそれぞれ前記カッティングペンの長手方向とは直交する方向に突出する一対のアーム部を有するペンホルダと、前記ペンホルダに前記アーム部の突出方向と平行な方向へ移動自在に保持されたペンロックとを備え、前記ペンロックは、前記ペンホルダに対して前記突出方向に移動した状態において前記一対のアーム部を押すことがなく、かつこの状態から前記突出方向とは反対方向に移動することにより前記一対のアーム部をこれらのアーム部どうしの間隔が狭くなる方向に押すカムを有しているものである。
【０００８】
本発明は、前記カッティングペンのロック機構において、前記ペンロックは、前記一対のアーム部を上方から覆う板状部を有し、前記板状部は、前記ペンロックが前記ペンホルダに対して前記突出方向に移動した状態で前記アーム部とは異なる部材が露出し、かつ前記ペンロックが前記ペンホルダに対して前記突出方向とは反対方向に移動した状態でのみ前記アーム部の一部が露出する貫通孔を有していてもよい。
【０００９】
本発明に係るカッティングプロッタは、前記発明によるカッティングペンのロック機構を上下方向に移動可能に保持し、前記カッティングペンの長手方向と直交する方向に平行移動するペンキャリッジと、前記カッティングペンによって切断されるシート状の被切断媒体が載せられる作業ステージとを備えたものである。
【発明の効果】
【００１０】
本発明においては、ペンロックがペンホルダに対して一対のアーム部の突出方向に移動することにより、カッティングペンがペンホルダに対して着脱自在な非ロック状態になる。この状態からペンロックがペンホルダに対して突出方向とは反対方向に移動することにより、一対のアーム部がカムによって押されて緊縛部がカッティングペンを緊縛するから、カッティングペンがペンホルダに固定されたロック状態になる。
ロック状態と非ロック状態とでは、ペンホルダに対するペンロックの位置が異なる。非ロック状態におけるペンロックは、ロック状態におけるペンロックよりカッティングペンから離間した不自然な位置にある。
【００１１】
このため、ペンロックとカッティングペンとの間隔に基づいてロック状態と非ロック状態との識別が可能になる。この識別は、使用者が一見しただけであっても可能である。
したがって、本発明によれば、カッティングペンが着脱自在な非ロック状態と、カッティングペンが固定されたロック状態とを一見しただけで識別可能なカッティングペンのロック機構を提供できる。
【００１２】
本発明に係るカッティングプロッタは、ペンキャリッジに保持されたカッティングペンが着脱自在な非ロック状態であるか、ペンキャリッジに固定されたロック状態であるかを使用者が容易に識別できるものとなる。したがって、この発明によれば、非ロック状態でカッティングが行われることを防止可能なカッティングプロッタを提供することができる。
【図面の簡単な説明】
【００１３】
【図１】本発明に係るカッティングペンのロック機構を備えたカッティングプロッタの斜視図である。
【図２】ペンキャリッジを拡大して示す斜視図である。
【図３】ロック機構の分解斜視図である。
【図４】非ロック状態の要部を示す平面図である。
【図５】非ロック状態の要部を示す断面図である。
【図６】図４におけるロック機構のVI-VI線断面図である。図６においては、図５の破断位置をV-V線によって示す。
【図７】ロック状態に移行する途中の要部を示す断面図である。
【図８】ロック状態の要部を示す平面図である。
【図９】ロック状態の要部を示す断面図である。
【図１０】図８におけるロック機構のX-X線断面図である。
【発明を実施するための形態】
【００１４】
以下、本発明に係るカッティングペンのロック機構およびカッティングプロッタの一実施の形態を図１〜図１０によって詳細に説明する。
＜カッティングプロッタの構成＞
図１に示すカッティングプロッタ１は、カッティングペン２を使用してシート状の被切断媒体３から図形や文字などを切り出すための装置である。このカッティングプロッタ１は、図１において左右方向の一端部に位置する操作部１ａと、他端部に位置するカッティングペン保管部１ｂと、これらの操作部１ａとカッティングペン保管部１ｂとの間に位置する作業部１ｃと、これらの機能部を覆うための開閉式カバー１ｄなどを備えている。
【００１５】
このカッティングプロッタ１は、操作部１ａとカッティングペン保管部１ｂとが水平方向に並ぶとともに作業部１ｃが上方に向けて開放される形態で使用される。以下においては、操作部１ａとカッティングペン保管部１ｂとが並ぶ方向を単に左右方向といい、この左右方向および上下方向と直交する方向を単に前後方向という。この実施の形態において、カッティングプロッタ１の前方とは、使用者がカッティングプロッタ１と対面している状態においてカッティングプロッタ１から使用者に向かう方向であって、図１において左斜め下方である。
操作部１ａには、操作パネル４と制御装置（図示せず）とが設けられている。カッティングペン保管部１ｂには、予備のカッティングペン２が挿入される穴５が形成されている。
【００１６】
作業部１ｃには、被切断媒体３が載せられる作業ステージ６と、被切断媒体３を搬送するための駆動ローラ７およびピンチローラ８と、カッティングペン２を支持するペンキャリッジ９などが設けられている。
作業ステージ６は、水平方向に延びる板状に形成されており、カッティングプロッタ１の前側部分に配置されている。
【００１７】
駆動ローラ７は、作業ステージ６の中間部を左右方向に横切る状態に配置されており、このカッティングプロッタ１の図示していないフレームに回転可能に支持されている。この駆動ローラ７は、第１の駆動装置（図示せず）に接続されており、この第１の駆動装置により駆動されることによって、正転あるいは逆転する。
【００１８】
ピンチローラ８は、円筒状に形成されており、回転軸１１が貫通する状態で駆動ローラ７の上方に位置付けられている。このピンチローラ８は、回転軸１１にその回転方向に固定されている。回転軸１１は、駆動ローラ７と平行に配置されており、上述したフレームに回転自在に支持されている。
この回転軸１１と駆動ローラ７は、ピンチローラ８と駆動ローラ７との間に作業ステージ６上の被切断媒体３を挟むことが可能な位置に配置されている。被切断媒体３は、ピンチローラ８と駆動ローラ７との間に挟まれた状態で駆動ローラ７が回転することによって、作業ステージ６に沿って前後方向に移動する。回転軸１１の中間部には、被切断媒体３を上方から押さえるためのローラ１２が設けられている。
【００１９】
ペンキャリッジ９は、左右方向に延びる２本のガイドロッド１３，１４に移動自在に支持されているとともに、駆動用ベルト１５が接続されている。駆動用ベルト１５は、図示していない第２の駆動装置によって駆動されることにより、ペンキャリッジ９とともに左右方向に移動する。  
【００２０】
また、ペンキャリッジ９は、図２に示すように、カッティングペン２を保持するための第１および第２のロック機構２１，２２と、これらの第１および第２のロック機構２１，２２を上下方向に駆動する第１および第２の押圧装置２３，２４とを備えている。第１および第２のロック機構２１，２２は、詳細は後述するが、それぞれカッティングペン２が着脱自在になる非ロック状態と、カッティングペン２が固定されるロック状態とを切替える機能を有している。
【００２１】
第１の押圧装置２３は、第１のロック機構２１を下方に向けて押すための第１のソレノイド（図示せず）と、第１のロック機構２１を上方に向けて付勢するばね部材（図示せず）とを備えている。第２の押圧装置２４は、第２のロック機構２２を下方に向けて押すための第２のソレノイド（図示せず）と、第２のロック機構２２を上方に向けて付勢するばね部材（図示せず）とを備えている。第１のソレノイドと第２のソレノイドは、カッティング時に所定の押圧力で第１または第２のロック機構２１，２２を下方に向けて押す。
【００２２】
カッティングペン２は、一端（図２においては下端）から刃（図示せず）が突出する円柱状に形成されている。このカッティングペン２の長手方向の中間部には、相対的に外径が大きいフランジ２５が設けられている。このフランジ２５は、第１および第２のロック機構２１，２２の後述するペンホルダ２６に載せられ、ペンホルダ２６に対するカッティングペン２の上下方向の位置を規定する。
【００２３】
＜ロック機構の構成＞
第１のロック機構２１と第２のロック機構２２は、図３に示すように、それぞれペンホルダ２６とペンロック２７とによって構成されている。この実施の形態による第１のロック機構２１と第２のロック機構２２とは、同一の構成が採られている。
ペンホルダ２６は、第１または第２の押圧装置２３，２４のソレノイドに連結される連結部３１と、この連結部３１の前端から下方に延びる柱状部３２と、この柱状部３２の下端に設けられた緊縛部３３と、この緊縛部３３の前端部に突設された第１および第２のアーム３４，３５部などによって構成されている。これらの連結部３１と、柱状部３２と、緊縛部３３と、第１および第２のアーム部３４，３５は、プラスチック材料によって一体に形成されている。
【００２４】
緊縛部３３は、上方から見た状態で前方に向けて開放される平面視Ｃ字状に形成されており、カッティングペン２を保持するための穴３３ａを有している。この穴３３ａは、後述する第１および第２のアーム部３４，３５に外力が加えられていない自然状態において、カッティングペン２におけるフランジ２５より下側の半部（刃が突出する半部）が着脱自在に嵌合できる形状に形成されている。この穴３３ａの穴径は、緊縛部３３の両端の間隔が狭くなる方向に緊縛部３３が弾性変形し、図９に示すように第１のアーム部３４と第２のアーム部３５とが互いに近接する方向に変位することによって、小さくなる。緊縛部３３の上面は、カッティングペン２のフランジ２５が載せられるために、平坦に形成されている。
緊縛部３３の左右方向の両側部には、図３に示すように、前後方向に延びるガイドレール３６と、位置決め用の前側凹部３７および後側凹部３８とが設けられている。
【００２５】
第１および第２のアーム部３４，３５は、平面視Ｃ字状の緊縛部３３の互いに近接する両端となる開放端からそれぞれ突出している。これらの第１および第２のアーム部３４，３５の突出方向は、緊縛部３３に保持されたカッティングペン２の長手方向とは直交する方向であって、カッティングプロッタ１の前方である。これらの第１および第２のアーム部３４，３５の突出側端部は、他方のアーム部から離間する方向に向けて曲がる鈎状に形成されている。
【００２６】
第１のアーム部３４の鈎状部分３４ａと、第２のアーム部３５の鈎状部分３５ａは、これらの鈎状部分３４ａ，３５ａが並ぶことにより、いわゆる「楔」が構成される形状に形成されている。詳述すると、第１のアーム部３４の鈎状部分３４ａにおける第２のアーム部３５とは反対側に位置する外側面４１（図５参照）と、第２のアーム部３５の鈎状部分３５ａにおける第１のアーム部３４とは反対側に位置する外側面４２は、図５に示すように、これらの外側面４１，４２どうしの間隔が緊縛部３３に向かうにしたがって次第に広くなる形状に傾斜している。
【００２７】
ペンロック２７は、図３に示すように、平面視において後方に向けて開放されるＵ字状に形成されたペンロック本体部４３と、このペンロック本体部４３の前端部から前方に向けて突出する摘み部４４とによって構成されている。これらのペンロック本体部４３と摘み部４４は、プラスチック材料によって一体に形成されている。このペンロック本体部４３の湾曲部分４３ａは、上述したペンホルダ２６の緊縛部３３と嵌合可能な形状に形成されている。
【００２８】
ペンロック本体部４３の後側で左右方向に並ぶ一対の第１および第２の連結片４５，４６は、これらの連結片４５，４６どうしの間にペンホルダ２６の柱状部３２と緊縛部３３とが前後方向へ移動自在に挿入可能な形状に形成されている。第１および第２の連結片４５，４６の先端部（後端部）には、柱状部３２の後面に当接するストッパー４７がそれぞれ設けられている。また、第１および第２の連結片４５，４６の前部には、前後方向に延びて後方に向けて開放されたスリット４８と、位置決め用の突起４９とがそれぞれ形成されている。スリット４８は、ペンロック２７がペンホルダ２６に取付けられた状態において、緊縛部３３のガイドレール３６が挿入される位置に位置付けられている。また、スリット４８は、ガイドレール３６が移動自在に嵌合する形状に形成されている。ペンロック２７は、これらのスリット４８とガイドレール３６とが嵌合することにより、ペンホルダ２６に前後方向（第１および第２のアーム部３４，３５の突出方向と平行な方向）へ移動自在に保持されることになる。
【００２９】
位置決め用の突起４９は、連結片４５，４６の互いに対向する内側面に内側へ向けて突設されている。この突起４９は、緊縛部３３の前側凹部３７または後側凹部３８に係合し、ペンホルダ２６をペンロック２７に対して前後方向に位置決めする。この突起４９が前側凹部３７に係合することによって、ペンロック２７が前側の位置に位置決めされる。また、突起４９が後側凹部３８に係合することによって、ペンロック２７が後側の位置に位置決めされる。
【００３０】
摘み部４４は、使用者がペンロック２７を操作するときに指を掛けるもので、後方に向けて開口する箱状に形成されている。摘み部４４の左右方向の両側部には、図３〜図５に示すように、使用者が指を掛けるための凸部５１が設けられている。摘み部４４の上部と下部には、図６に示すように、使用者の指を挿入可能な凹部５２，５３が形成されている。これらの凹部５２，５３のうち、上側に位置する凹部５２には、貫通孔５４が設けられている。この貫通孔５４は、凹部５２の底壁５２ａを上下方向に貫通している。
【００３１】
摘み部４４の内部には、図５および図６に示すように、ペンホルダ２６の第１および第２のアーム部３４，３５を収容可能な空間Ｓが形成されている。この空間Ｓは、第１および第２のアーム部３４，３５をこれらのアーム部３４，３５が並ぶ方向の両側から囲む第１および第２の押圧壁５５，５６と、両アーム部３４，３５を上下方向から覆う前記凹部５２，５３の底壁５２ａ，５３ａなどによって形成されている。
この実施の形態においては、上側に位置する凹部５２の底壁５２ａが「一対のアーム部を上方から覆う板状部」に相当する。
【００３２】
＜カムの構成＞
第１および第２の押圧壁５５，５６は、図５に示すように、それぞれカム５７を有している。第１の押圧壁５５のカム５７は、第１のアーム部３４における第２のアーム部３５とは反対側の側部と対向している。第２の押圧壁５６のカム５７は、第２のアーム部３５における第１のアーム部３４とは反対側の側部と対向している。
【００３３】
これらの一対のカム５７，５７は、前後方向と上下方向とに延びる平行面５７ａと、この平行面５７ａの後端に接続された傾斜面からなるカム面５７ｂとを有している。カム面５７ｂは、前方（第１および第２のアーム部３４，３５の突出方向）に向かうにしたがって次第にカム５７どうしの間隔が狭くなる形状に形成されている。
このカム面５７ｂは、上方から見て第１および第２のアーム部３４，３５の鈎状部分３４ａ，３５ａの外側面４１，４２と平行に形成されている。
【００３４】
また、このカム面５７ｂは、前後方向において第１および第２のアーム部３４，３５の鈎状部分３４ａ，３５ａと同一位置に位置する状態（図５に示す状態）においては、鈎状部分３４ａ，３５ａの外側面４１，４２と微小な隙間をおいて対向する位置に形成されている。この状態は、ペンロック２７がペンホルダ２６に対して前方に移動され、ペンロック２７の位置決め用突起４９がペンホルダ２６の前側凹部３７に係合して前方への移動が規制された状態である。この状態においては、カム５７が第１および第２のアーム部３４，３５を押すことはない。
【００３５】
図５に示す状態においては、図４および図６に示すように、ペンホルダ２６の緊縛部３３とペンロック２７の湾曲部分４３ａとの間に隙間Ｄが形成される。また、摘み部４４の上述した貫通孔５４は、このような状態において、上方から見て第２のアーム部３５と重なることがない位置に形成されている。ここでいう、第２のアーム部３５と重なることがない位置とは、上方から見て、第２のアーム部３５より前方であって、第２のアーム部３５の前端の近傍である。貫通孔５４がこの位置に位置付けられることによって、貫通孔５４の下方に位置する下側の凹部５３の底壁５３ａが貫通孔５４から露出する。この実施の形態においては、この底壁５３ａが「アーム部とは異なる部材」に相当する。以下においては、図４〜図６に示す状態を「非ロック状態」という。
【００３６】
カム面５７ｂは、図７に示すように、ペンロック２７が非ロック状態となる位置からペンホルダ２６に対して後方に移動する過程で第１および第２のアーム部３４，３５の鈎状部分３４ａ，３５ａに接触し、第１および第２のアーム部３４，３５を互いに接近する方向へ押す。第１および第２のアーム部３４，３５がこのように押されることにより、緊縛部３３が弾性変形し、カッティングペン２を緊縛する。
【００３７】
このカム面５７ｂは、図８に示すように、ペンロック本体部４３の湾曲部分４３ａがペンホルダ２６の緊縛部３３に嵌合した状態においては、鈎状部分３４ａ，３５ａより後方に位置付けられる。湾曲部分４３ａが緊縛部３３に嵌合することにより、湾曲部分４３ａと緊縛部３３との間に殆ど隙間がなくなって自然な状態になる。図８に示す状態においては、図示してはいないが、ペンロック２７の位置決め用突起４９がペンホルダ２６の後側凹部３８に係合している。また、この状態においては、図９に示すように、カム５７の平行面５７ａが鈎状部分３４ａ，３５ａを押し、第１および第２のアーム部３４，３５が互いに近接する方向に変位する。すなわち、カム５７は、上述した非ロック状態から第１および第２のアーム部３４，３５の突出方向とは反対方向に移動することによって、一対のアーム部３４，３５をこれらのアーム部どうしの間隔が狭くなる方向に押す。
【００３８】
このように平行面５７ａが鈎状部分３４ａ，３５ａを押している状態においては、使用者が摘み部４４から指を放したとしても、ペンロック２７がペンホルダ２６に対して移動することはなく、同一位置に保持される。
また、図８に示す状態においては、図１０に示すように、摘み部４４の貫通孔５４が第２のアーム部３５の上方に位置している。このため、この状態でのみ貫通孔５４から第２のアーム部３５の一部が露出する。以下においては、図８〜図１０に示す状態を「ロック状態」という。
【００３９】
＜ロック機構の動作の説明＞
次に、この実施の形態による第１および第２のロック機構２１，２２の動作を説明する。
カッティングプロッタ１で使用する被切断媒体３の厚みや材質が変わった場合は、ペンキャリッジ９に既に装着されているカッティングペン２が取外され、被切断媒体３の厚みや材質に適合するカッティングペン２と交換される。
【００４０】
このカッティングペン２の交換作業は、カッティングペン２が保持されている第１または第２のロック機構２１，２２を非ロック状態として行われる。ここでは、第１のロック機構２１に保持されているカッティングペン２を交換する手順を説明する。
第１のロック機構２１を非ロック状態とするためには、使用者がペンロック２７の摘み部４４を前方に引く。摘み部４４は、ペンロック２７の位置決め用突起４９がペンホルダ２６の前側凹部３７に係合するまで前方に引かれる。
【００４１】
この突起４９と前側凹部３７とによりペンロック２７の前方への移動が規制されることによって、図４に示すように、ペンホルダ２６とペンロック２７との間に隙間Ｄが生じるとともに、貫通孔５４から底壁５３ａが露出する。また、この状態においては、図５に示すように、カム５７が第１および第２のアーム部３４，３５を押すことがない位置に位置付けられ、ペンホルダ２６の緊縛部３３がカッティングペン２を緊縛していない緩んだ状態（非ロック状態）になる。
【００４２】
このように摘み部４４が引かれた状態で使用者がカッティングペン２を緊縛部３３から取外し、新たなカッティングペン２を緊縛部３３に挿入する。新たなカッティングペン２を第１のロック機構２１に固定するためには、作業者が摘み部４４を後方に押し、第１のロック機構２１をロック状態とする。摘み部４４を後方に押す動作は、図８に示すようにペンロック本体部４３の湾曲部分４３ａが緊縛部３３に嵌合するまで行われる。このように摘み部４４が押されることによって、図９に示すように、第１および第２のアーム部３４，３５がカム５７によって押され、緊縛部３３が弾性変形してカッティングペン２を緊縛する。カッティングペン２は、緊縛部３３により緊縛されることによって、緊縛部３３に固定される。
【００４３】
この実施の形態による第１および第２のロック機構２１，２２において、ロック状態と非ロック状態とでは、ペンホルダ２６に対するペンロック２７の位置が異なる。非ロック状態におけるペンロック２７は、ロック状態におけるペンロック２７よりカッティングペン２から離間した不自然な位置にある。このため、ペンロック２７とカッティングペン２との間隔に基づいてロック状態と非ロック状態との識別が可能になる。この識別は、使用者が一見しただけであっても可能である。
したがって、この実施の形態によれば、カッティングペン２が着脱自在な非ロック状態と、カッティングペン２が固定されたロック状態とを一見しただけで識別可能なカッティングペンのロック機構を提供することができる。
【００４４】
この実施の形態によるペンロック２７は、一対のアーム部を上方から覆う底壁５２ａを有している。この底壁５２ａには、貫通孔５４が形成されている。この貫通孔５４は、非ロック状態で下側の凹部５３の底壁５３ａが露出し、かつロック状態でのみ第２のアーム部３５の一部が露出する位置に形成されている。このため、使用者が貫通孔５４を見ることによって、ロック状態と非ロック状態とを識別することができる。
したがって、この実施の形態によれば、ロック状態と非ロック状態との識別をより一層簡単に行うことが可能なカッティングペンのロック機構を提供することができる。
【００４５】
この実施の形態による第１および第２のロック機構２１，２２は、非ロック状態でペンロック２７の湾曲部分４３ａとペンホルダ２６の緊縛部３３との間に隙間Ｄが生じる構成が採られている。このため、この実施の形態においては、使用者がこの隙間Ｄを目視することによっても非ロック状態を識別することが可能である。
【００４６】
この実施の形態によるカッティングプロッタは、上述した第１および第２のロック機構２１，２２を上下方向に移動可能に保持し、カッティングペン２の長手方向と直交する方向に平行移動するペンキャリッジ９と、カッティングペン２によって切断される被切断媒体３が載せられる作業ステージ６とを備えている。
【００４７】
このため、このカッティングプロッタ１は、ペンキャリッジ９に装着されているカッティングペン２が着脱自在な非ロック状態であるか、ペンキャリッジ９に固定されたロック状態であるかを使用者が容易に識別できるものとなる。したがって、この実施の形態によれば、非ロック状態でカッティングが行われることを防止可能なカッティングプロッタを提供することができる。
【００４８】
なお、第２のアーム部３５は、ペンロック２７とは異なる色の材料によって形成することができるし、第２のアーム部３５の先端部には、ペンロック２７とは異なる色の着色部を設けることができる。このような構成を採ることにより、貫通孔５４に露出する第２のアーム部３５が明確になるから、ロック状態と非ロック状態の識別がより一層容易になる。
【００４９】
また、上述した実施の形態においては、被切断媒体３が前後方向に移動する形式のカッティングプロッタの一例を示した。しかし、本発明に係るカッティングペンは、被切断媒体が移動することがない、いわゆるフラットベッド型のカッティングプロッタにも適用することができる。
【符号の説明】
【００５０】
１…カッティングプロッタ、２…カッティングペン、３…被切断媒体、６…作業ステージ、９…ペンキャリッジ、２１…第１のロック機構、２２…第２のロック機構、２６…ペンホルダ、２７…ペンロック、３３…緊縛部、３４…第１のアーム部、３５…第２のアーム部、５２ａ…底壁（板状部）、５４…貫通孔、５５…第１の押圧壁（押圧部）、５６…第２の押圧壁（押圧部）、５７…カム、５７ｂ…カム面。
【図１】
0006684138.tif 000002
【図２】
0006684138.tif 000003
【図３】
0006684138.tif 000004
【図４】
0006684138.tif 000005
【図５】
0006684138.tif 000006
【図６】
0006684138.tif 000007
【図７】
0006684138.tif 000008
【図８】
0006684138.tif 000009
【図９】
0006684138.tif 000010
【図１０】
0006684138.tif 000011